(57)【要約】【課題】ハードウェアの機能を向上するときに、ハードウェアを変更する必要がないようにする。【解決手段】ハードウェア１により、内部論理データを受けて格納しこの内部論理データに従って内部論理を規定するプログラマブルＬＳＩ４を予め実装し、コンピュータ２により、内部論理データを要求し、この内部論理データを受けてハードウェア１に送り、サーバ３により、内部論理データを予め有し、コンピュータ２より内部論理データを要求され、この内部論理データをコンピュータ２に送る。【選択図】　　　図１
2004086613.tif 000002
【特許請求の範囲】
【請求項１】
コンピュータとこのコンピュータに接続されたハードウェアにより予め定めた機能を実現するコンピュータ・ハードウェア・システム内の前記ハードウェアに予め実装したプログラマブルＬＳＩの内部論理データを変更するプログラマブルＬＳＩ内部論理データの変更システムであって、
前記内部論理データを受けて格納しこの内部論理データに従って内部論理を規定する前記プログラマブルＬＳＩを予め実装するハードウェアと、
前記内部論理データを要求し、この内部論理データを受けて前記ハードウェアに送るコンピュータと、
前記内部論理データを予め有し、前記コンピュータより前記内部論理データを要求され、この内部論理データを前記コンピュータに送るサーバと、
を備えたことを特徴とするプログラマブルＬＳＩ内部論理データの変更システム。
【請求項２】
前記内部論理データが正常か否かの診断を前記サーバに要求し、このサーバより診断結果を受けて表示する前記コンピュータと、
前記コンピュータより前記診断の要求を受け、前記ハードウェア内の前記プログラマブルＬＳＩより前記コンピュータを介してこのプログラマブルＬＳＩが格納している前記内部論理データを受けこの受けた前記内部論理データが正常か否かの診断を行い診断結果を前記コンピュータに通知する前記サーバと、
を備えたことを特徴とする請求項１記載のプログラマブルＬＳＩ内部論理データの変更システム。
【請求項３】
前記サーバは、前記ハードウェア内の前記プログラマブルＬＳＩより前記コンピュータを介してこのプログラマブルＬＳＩが格納している前記内部論理データを受けこの受けた前記内部論理データと前記コンピュータから要求され前記コンピュータに送った前記内部論理データとを比較し比較した結果を診断結果として前記コンピュータに通知するようにしたことを特徴とする請求項２記載のプログラマブルＬＳＩ内部論理データの変更システム。
【請求項４】
前記サーバは、前記コンピュータとネットワークを介して接続するようにしたことを特徴とする請求項１、２又は３記載のプログラマブルＬＳＩ内部論理データの変更システム。
【請求項５】
コンピュータとこのコンピュータに接続されたハードウェアにより予め定めた機能を実現するコンピュータ・ハードウェア・システム内の前記ハードウェアに予め実装したプログラマブルＬＳＩの内部論理データを、前記コンピュータが、このコンピュータにネットワークを介して接続されたサーバより受けた変更用の前記内部論理データに変更するプログラマブルＬＳＩ内部論理データの変更システムであって、
前記プログラマブルＬＳＩの変更用の前記内部論理データを、前記サーバに要求し、このサーバより変更用の前記内部論理データを受けて前記ハードウェアに送り、前記プログラマブルＬＳＩの前記内部論理データの変更が正常に行われたか否かの診断を前記サーバに要求し、このサーバより前記診断結果を受けて表示する前記コンピュータと、
自ハードウェアの前記プログラマブルＬＳＩにより、変更用の前記内部論理データを前記コンピュータから受けて格納しこの内部論理データに従って前記プログラマブルＬＳＩの内部論理を規定する前記ハードウェアと、
前記コンピュータより変更用の前記内部論理データを要求されてこの内部論理データを前記コンピュータに送り、前記コンピュータより前記診断の要求を受け、前記ハードウェア内の前記プログラマブルＬＳＩより前記コンピュータを介してこのプログラマブルＬＳＩが格納している前記内部論理データを受けこの受けた前記内部論理データと前記コンピュータから要求された変更用の前記内部論理データとを比較し比較した結果を診断結果として前記コンピュータに通知する前記サーバと、
を備えたことを特徴とするプログラマブルＬＳＩ内部論理データの変更システム。
【請求項６】
コンピュータとこのコンピュータに接続されたハードウェアにより予め定めた機能を実現するコンピュータ・ハードウェア・システム内の前記ハードウェアに予め実装したプログラマブルＬＳＩの内部論理データを、前記コンピュータが、このコンピュータにネットワークを介して接続されたサーバより受けた変更用の前記内部論理データに変更するプログラマブルＬＳＩ内部論理データの変更システムであって、
前記プログラマブルＬＳＩの変更用の前記内部論理データを、前記サーバに要求し、このサーバより変更用の前記内部論理データを受けて格納し、自コンピュータと前記ハードウェア内の前記プログラマブルＬＳＩとを接続するバスを前記内部論理データを変更するための内部論理変更バスに切り替えるバス切り替え指示を前記ハードウェアに出力し、前記格納した変更用の前記内部論理データを前記ハードウェアに送り、前記プログラマブルＬＳＩの前記内部論理データの変更が正常に行われたか否かの診断を前記サーバに要求し、このサーバより診断結果を受けこの診断結果が前記内部論理データの変更が正常に行われたことを示すときに前記ハードウェアをリセットする前記コンピュータと、
前記コンピュータより前記バス切り替え指示を受け、自ハードウェア内の前記プログラマブルＬＳＩと前記コンピュータとを接続するバスを前記内部論理変更バスに切り替え、自ハードウェアの前記プログラマブルＬＳＩにより、前記内部論理変更バスを通して変更用の前記内部論理データを前記コンピュータから受けて格納しこの内部論理データに従って前記プログラマブルＬＳＩの内部論理を規定し、前記コンピュータからのリセットにより前記コンピュータと前記プログラマブルＬＳＩとの接続を前記内部論理変更バスからシステムバスに切り替える前記ハードウェアと、
前記コンピュータより変更用の前記内部論理データを要求されこの内部論理データを前記コンピュータに送り、前記コンピュータより前記診断の要求を受け、前記ハードウェア内の前記プログラマブルＬＳＩより前記コンピュータを介してこのプログラマブルＬＳＩが格納している前記内部論理データを受けこの受けた前記内部論理データと前記コンピュータから要求された変更用の前記内部論理データとを比較し比較した結果を診断結果として前記コンピュータに通知する前記サーバと、
を備えたことを特徴とするプログラマブルＬＳＩ内部論理データの変更システム。
【請求項７】
前記ハードウェアは、前記コンピュータより前記バス切り替え指示を受け、自ハードウェア内の前記プログラマブルＬＳＩと前記コンピュータとを接続するバスを前記内部論理変更バスに切り替え、自ハードウェア内のプログラマブルＬＳＩと自ハードウェアの外部にある外部ハードウェアとの接続を切断し、前記コンピュータからのリセットにより前記コンピュータと前記プログラマブルＬＳＩとの接続を前記内部論理変更バスからシステムバスに切り替え、前記外部ハードウェアと前記プログラマブルＬＳＩとを接続するようにしたことを特徴とする請求項６記載のプログラマブルＬＳＩ内部論理データの変更システム。
【請求項８】
前記ハードウェアは、
前記コンピュータより前記バス切り替え指示を受け、前記プログラマブルＬＳＩと前記コンピュータとを接続するバスを前記内部論理変更バスに切り替え、前記コンピュータからのリセットにより前記コンピュータと前記プログラマブルＬＳＩとの接続を前記内部論理変更バスからシステムバスに切り替えるモード切替器と、
前記内部論理変更バスを通して変更用の前記内部論理データを前記コンピュータから受けて格納しこの内部論理データに従って内部論理を規定し、この格納した前記内部論理データを前記コンピュータに送る前記プログラマブルＬＳＩと、
を備えたことを特徴とする請求項６記載のプログラマブルＬＳＩ内部論理データの変更システム。
【請求項９】
前記ハードウェアは、
前記コンピュータより前記バス切り替え指示を受け、前記プログラマブルＬＳＩと前記コンピュータとを接続するバスを前記内部論理変更バスに切り替え、前記プログラマブルＬＳＩと自ハードウェアの外部にある外部ハードウェアとの接続を切断するための外部インターフェース切断信号を出力し、前記コンピュータからのリセットにより前記コンピュータと前記プログラマブルＬＳＩとの接続を前記内部論理変更バスからシステムバスに切り替え、前記外部ハードウェアと前記プログラマブルＬＳＩとを接続するために前記外部インターフェース切断信号の出力を停止するモード切替器と、
前記内部論理変更バスを通して変更用の前記内部論理データを前記コンピュータから受けて格納しこの内部論理データに従って内部論理を規定し、この格納した前記内部論理データを前記コンピュータに送る前記プログラマブルＬＳＩと、
外部インターフェース切断信号を受けているときには前記プログラマブルＬＳＩと前記外部ハードウェアとの接続を切断し、外部インターフェース切断信号を受けていないときには前記プログラマブルＬＳＩと前記外部ハードウェアとを接続する外部インターフェース遮断器と、
を備えたことを特徴とする請求項７記載のプログラマブルＬＳＩ内部論理データの変更システム。
【請求項１０】
前記コンピュータは、前記内部論理データを前記サーバに要求するときに、希望する前記プログラマブルＬＳＩの機能及びこの機能に対応する前記内部論理データのバージョンを含むユーザ情報を前記サーバに登録して要求するようにしたことを特徴とする請求項１から９のいずれか一項に記載のプログラマブルＬＳＩ内部論理データの変更システム。
【請求項１１】
前記コンピュータがこのサーバに登録した前記ユーザ情報に対応する前記内部論理データに関するバージョンアップ情報を含む情報を前記コンピュータに送る前記サーバと、
前記バージョンアップ情報を含む前記情報を受け表示する前記コンピュータと、
を備えたことを特徴とする請求項１０記載のプログラマブルＬＳＩ内部論理データの変更システム。
【請求項１２】
コンピュータに接続されたハードウエア内に予め実装したプログラマブルＬＳＩの内部論理データを、前記コンピュータが、このコンピュータにネットワークを介して接続されたサーバより受けた変更用の前記内部論理データに変更するプログラマブルＬＳＩ内部論理データの変更方法であって、
前記コンピュータにより、前記プログラマブルＬＳＩの変更用の前記内部論理データを、前記サーバに要求し、このサーバより変更用の前記内部論理データを受けて格納する第１のステップと、
前記コンピュータにより、このコンピュータと前記ハードウェア内の前記プログラマブルＬＳＩとを接続するバスを前記内部論理データを変更するための内部論理変更バスに切り替えるバス切り替え指示を前記ハードウェアに出力する第２のステップと、
前記ハードウェアにより、前記バス切り替え指示を受け、このハードウェア内の前記プログラマブルＬＳＩと前記コンピュータとを接続するバスを内部論理変更バスに切り替える第３のステップと、
前記コンピュータにより、前記格納してある変更用の前記内部論理データを前記ハードウェアに送る第４のステップと、
前記ハードウェアの前記プログラマブルＬＳＩにより、前記コンピュータより前記内部論理変更バスを通して変更用の前記内部論理データを受けて格納しこの内部論理データに従って前記プログラマブルＬＳＩの内部論理を規定する第５のステップと、
前記コンピュータにより、前記プログラマブルＬＳＩの前記内部論理データの変更が正常に行われたか否かの診断を前記サーバに要求する第６のステップと、
前記サーバにより、前記診断の要求を受け、前記ハードウェア内の前記プログラマブルＬＳＩより前記コンピュータを介してこのプログラマブルＬＳＩが格納している前記内部論理データを受ける第７のステップと、
前記サーバにより、前記第７のステップで受けた前記内部論理データと前記第１のステップで前記コンピュータに要求された変更用の前記内部論理データとを比較し比較した結果を診断結果として前記コンピュータに通知する第８のステップと、
前記コンピュータにより、前記診断結果を受け、この診断結果が二つの前記内部論理データが一致したことを示すときには、第１０のステップへ進む第９のステップと、
前記コンピュータにより、前記ハードウェアをリセットする第１０のステップと、
前記ハードウェアにより、前記コンピュータと前記プログラマブルＬＳＩとの接続を前記内部論理変更バスからシステムバスに切り替える第１１のステップと、
を含むことを特徴とするプログラマブルＬＳＩ内部論理データの変更方法。
【請求項１３】
前記第９のステップは、前記コンピュータにより、前記診断結果を受けこの診断結果が二つの前記内部論理データが一致しないことを示すときには、前記内部論理データの変更が正常に行われていないとして、前記プログラマブルＬＳＩの変更用の内部論理データを、前記サーバに要求し、このサーバより変更用の前記内部論理データを受けて格納して前記第４のステップへ戻るようにしたことを特徴とする請求項１２記載のプログラマブルＬＳＩ内部論理データの変更方法。
【請求項１４】
前記ハードウェアにより、前記バス切り替え指示を受け、内部論理変更バスに切り替え、このハードウェア内のプログラマブルＬＳＩとこのハードウェアの外部にある外部ハードウェアとの接続を切断する前記第３のステップと、
前記ハードウェアにより、前記内部論理変更バスから前記システムバスに切り替え、前記外部ハードウェアと前記プログラマブルＬＳＩとを接続する前記第１１のステップと、
を含むことを特徴とする請求項１２又は１３記載のプログラマブルＬＳＩ内部論理データの変更方法。
【請求項１５】
前記第７のステップは、
前記サーバにより、前記診断の要求を受け、前記コンピュータに診断対象の内部論理データを要求するステップと、
前記コンピュータにより、診断対象の内部論理データの要求を受け前記ハードウェアに前記プログラマブルＬＳＩの格納している内部論理データを要求するステップと、
前記ハードウェアの前記プログラマブルＬＳＩにより、このプログラマブルＬＳＩの格納している前記内部論理データの要求を受け、格納している前記内部論理データを前記コンピュータに送るステップと、
前記コンピュータにより、前記プログラマブルＬＳＩが格納している前記内部論理データを受け前記サーバに送るステップと、
前記サーバにより、前記プログラマブルＬＳＩが格納している前記内部論理データを受けるステップと、
を含むことを特徴とする請求項１２、１３又は１４記載のプログラマブルＬＳＩ内部論理データの変更方法。
【請求項１６】
前記第１のステップでは、前記コンピュータにより、前記プログラマブルＬＳＩの変更用の内部論理データを、前記サーバに要求するときに、希望する前記プログラマブルＬＳＩの機能及びこの機能に対応する内部論理データのバージョンを含むユーザ情報を前記サーバに登録して要求するようにしたことを特徴とする請求項１２、１３、１４又は１５記載のプログラマブルＬＳＩ内部論理データの変更方法。
【請求項１７】
前記第１１のステップの後に、前記ハードウェアを運用し、不具合が発生したときに、前記第１１のステップに続けて、前記コンピュータにより、このコンピュータと前記ハードウェア内の前記プログラマブルＬＳＩとを接続するバスを内部論理データを変更するための内部論理変更バスに切り替えるバス切り替え指示を前記ハードウェアに出力するステップと、
前記ハードウェアにより、前記バス切り替え指示を受け、このハードウェア内の前記プログラマブルＬＳＩと前記コンピュータとを接続するバスを内部論理変更バスに切り替え、このハードウェア内のプログラマブルＬＳＩとこのハードウェアの外部にある外部ハードウェアとの接続を切断するステップと、
前記コンピュータにより、前記プログラマブルＬＳＩの前記内部論理データが正常か否かの診断を前記サーバに要求するステップと、
前記サーバにより、前記診断の要求を受け、前記ハードウェア内の前記プログラマブルＬＳＩより前記コンピュータを介してこのプログラマブルＬＳＩが格納している前記内部論理データを受けこの受けた前記内部論理データとこのサーバに登録された前記ユーザ情報に対応する前記内部論理データとを比較し比較した結果を診断結果として前記コンピュータに通知するステップと、
を更に含むことを特徴とする請求項１６記載のプログラマブルＬＳＩ内部論理データの変更方法。
【請求項１８】
前記サーバにより、前記第１のステップで前記コンピュータがこのサーバに登録した前記ユーザ情報に対応する前記内部論理データに関するバージョンアップ情報を含む情報を前記コンピュータに送るステップと、
前記コンピュータにより、前記バージョンアップ情報を含む前記情報を受け表示するステップと、
を更に含むことを特徴とする請求項１６又は１７記載のプログラマブルＬＳＩ内部論理データの変更方法。
【発明の詳細な説明】
【０００１】
【発明の属する技術分野】
本発明はプログラマブルＬＳＩ内部論理データの変更システム及びプログラマブルＬＳＩ内部論理データの変更方法に関し、特にコンピュータに接続されたハードウエア内に予め実装したプログラマブルＬＳＩの内部論理データを、このコンピュータにより変更するプログラマブルＬＳＩ内部論理データの変更システム及びプログラマブルＬＳＩ内部論理データの変更方法に関する。
【０００２】
【従来の技術】
従来の、コンピュータとこのコンピュータに接続されたハードウェアにより予め定めた機能を実現するコンピュータ・ハードウェア・システムは、図６に示すように、コンピュータ１３と、このコンピュータ１３に接続したプログラマブルＬＳＩでないＬＳＩ１４を実装したハードウェア１２とにより構成する。
【０００３】
プログラマブルＬＳＩでないＬＳＩ１４を実装したハードウェア１２の機能の向上（バージョンアップ）について説明する。
【０００４】
ＬＳＩ１４が実装されているハードウェア１２のネットワークに対して接続する機能が古くなり機能の向上が必要になった場合、このハードウェア１２の替わりにバージョンアップしたＬＳＩを実装した新たなハードウェアを導入しなければならない。
【０００５】
例えば、１０Ｍｂｐｓのデータ転送能力しか備わっていないＬＳＩ１４を実装したハードウェア１２（例えば、ネットワークボード）を、１００Ｍｂｐｓのデータ転送能力を備えたＬＳＩを実装したネットワークボードに変更する場合、コンピュータ１３に接続されている１０Ｍｂｐｓのネットワークボードをコンピュータ１３から接続を外し、１００Ｍｂｐｓのデータ転送能力を備えたＬＳＩを実装したネットワークボードをコンピュータ１３に接続することで向上した機能の使用が可能となる。
【０００６】
【発明が解決しようとする課題】
上述した従来のコンピュータ・ハードウェア・システムで、ハードウェアの機能を向上（バージョンアップ）するためには、このハードウェアの替わりにバージョンアップしたＬＳＩを実装した新たなハードウェアを導入しなければならないため、コンピュータに接続されているハードウェアをコンピュータの接続から外し、新たなハードウェアをコンピュータに接続する（すなわち、ハードウェアを変更する）必要があるという問題がある。
【０００７】
また、従来のコンピュータ・ハードウェア・システムでは、プログラマブルＬＳＩを実装していないハードウェアを使用しているため、プログラマブルＬＳＩの内部論理データ変更時のサポートや、最新バージョンの内部論理データの紹介などのサービスの提供を受けられないという問題がある。
【０００８】
本発明の目的はこのような従来の欠点を除去するため、ハードウェアの機能を向上（バージョンアップ）するときに、ハードウェアを変更する必要がなく、また、プログラマブルＬＳＩの内部論理データ変更時のサポートや、最新バージョンの内部論理データの紹介などのサービスの提供を受けられるプログラマブルＬＳＩ内部論理データの変更システム及びプログラマブルＬＳＩ内部論理データの変更方法を提供することにある。
【０００９】
【課題を解決するための手段】
本発明の第１のプログラマブルＬＳＩ内部論理データの変更システムは、コンピュータとこのコンピュータに接続されたハードウェアにより予め定めた機能を実現するコンピュータ・ハードウェア・システム内の前記ハードウェアに予め実装したプログラマブルＬＳＩの内部論理データを変更するプログラマブルＬＳＩ内部論理データの変更システムであって、
前記内部論理データを受けて格納しこの内部論理データに従って内部論理を規定する前記プログラマブルＬＳＩを予め実装するハードウェアと、
前記内部論理データを要求し、この内部論理データを受けて前記ハードウェアに送るコンピュータと、
前記内部論理データを予め有し、前記コンピュータより前記内部論理データを要求され、この内部論理データを前記コンピュータに送るサーバと、
を備えて構成されている。
【００１０】
また、本発明の第１のプログラマブルＬＳＩ内部論理データの変更システムは、前記内部論理データが正常か否かの診断を前記サーバに要求し、このサーバより診断結果を受けて表示する前記コンピュータと、
前記コンピュータより前記診断の要求を受け、前記ハードウェア内の前記プログラマブルＬＳＩより前記コンピュータを介してこのプログラマブルＬＳＩが格納している前記内部論理データを受けこの受けた前記内部論理データが正常か否かの診断を行い診断結果を前記コンピュータに通知する前記サーバと、
を備えて構成されている。
【００１１】
更に、本発明の第１のプログラマブルＬＳＩ内部論理データの変更システムの前記サーバは、前記ハードウェア内の前記プログラマブルＬＳＩより前記コンピュータを介してこのプログラマブルＬＳＩが格納している前記内部論理データを受けこの受けた前記内部論理データと前記コンピュータから要求され前記コンピュータに送った前記内部論理データとを比較し比較した結果を診断結果として前記コンピュータに通知するようにしている。
【００１２】
本発明の第２のプログラマブルＬＳＩ内部論理データの変更システムは、コンピュータとこのコンピュータに接続されたハードウェアにより予め定めた機能を実現するコンピュータ・ハードウェア・システム内の前記ハードウェアに予め実装したプログラマブルＬＳＩの内部論理データを、前記コンピュータが、このコンピュータにネットワークを介して接続されたサーバより受けた変更用の前記内部論理データに変更するプログラマブルＬＳＩ内部論理データの変更システムであって、
前記プログラマブルＬＳＩの変更用の前記内部論理データを、前記サーバに要求し、このサーバより変更用の前記内部論理データを受けて前記ハードウェアに送り、前記プログラマブルＬＳＩの前記内部論理データの変更が正常に行われたか否かの診断を前記サーバに要求し、このサーバより前記診断結果を受けて表示する前記コンピュータと、
自ハードウェアの前記プログラマブルＬＳＩにより、変更用の前記内部論理データを前記コンピュータから受けて格納しこの内部論理データに従って前記プログラマブルＬＳＩの内部論理を規定する前記ハードウェアと、
前記コンピュータより変更用の前記内部論理データを要求されてこの内部論理データを前記コンピュータに送り、前記コンピュータより前記診断の要求を受け、前記ハードウェア内の前記プログラマブルＬＳＩより前記コンピュータを介してこのプログラマブルＬＳＩが格納している前記内部論理データを受けこの受けた前記内部論理データと前記コンピュータから要求された変更用の前記内部論理データとを比較し比較した結果を診断結果として前記コンピュータに通知する前記サーバと、
を備えて構成されている。
【００１３】
本発明の第３のプログラマブルＬＳＩ内部論理データの変更システムは、コンピュータとこのコンピュータに接続されたハードウェアにより予め定めた機能を実現するコンピュータ・ハードウェア・システム内の前記ハードウェアに予め実装したプログラマブルＬＳＩの内部論理データを、前記コンピュータが、このコンピュータにネットワークを介して接続されたサーバより受けた変更用の前記内部論理データに変更するプログラマブルＬＳＩ内部論理データの変更システムであって、
前記プログラマブルＬＳＩの変更用の前記内部論理データを、前記サーバに要求し、このサーバより変更用の前記内部論理データを受けて格納し、自コンピュータと前記ハードウェア内の前記プログラマブルＬＳＩとを接続するバスを前記内部論理データを変更するための内部論理変更バスに切り替えるバス切り替え指示を前記ハードウェアに出力し、前記格納した変更用の前記内部論理データを前記ハードウェアに送り、前記プログラマブルＬＳＩの前記内部論理データの変更が正常に行われたか否かの診断を前記サーバに要求し、このサーバより診断結果を受けこの診断結果が前記内部論理データの変更が正常に行われたことを示すときに前記ハードウェアをリセットする前記コンピュータと、
前記コンピュータより前記バス切り替え指示を受け、自ハードウェア内の前記プログラマブルＬＳＩと前記コンピュータとを接続するバスを前記内部論理変更バスに切り替え、自ハードウェアの前記プログラマブルＬＳＩにより、前記内部論理変更バスを通して変更用の前記内部論理データを前記コンピュータから受けて格納しこの内部論理データに従って前記プログラマブルＬＳＩの内部論理を規定し、前記コンピュータからのリセットにより前記コンピュータと前記プログラマブルＬＳＩとの接続を前記内部論理変更バスからシステムバスに切り替える前記ハードウェアと、
前記コンピュータより変更用の前記内部論理データを要求されこの内部論理データを前記コンピュータに送り、前記コンピュータより前記診断の要求を受け、前記ハードウェア内の前記プログラマブルＬＳＩより前記コンピュータを介してこのプログラマブルＬＳＩが格納している前記内部論理データを受けこの受けた前記内部論理データと前記コンピュータから要求された変更用の前記内部論理データとを比較し比較した結果を診断結果として前記コンピュータに通知する前記サーバと、
を備えて構成されている。
【００１４】
また、本発明の第３のプログラマブルＬＳＩ内部論理データの変更システムの前記ハードウェアは、前記コンピュータより前記バス切り替え指示を受け、自ハードウェア内の前記プログラマブルＬＳＩと前記コンピュータとを接続するバスを前記内部論理変更バスに切り替え、自ハードウェア内のプログラマブルＬＳＩと自ハードウェアの外部にある外部ハードウェアとの接続を切断し、前記コンピュータからのリセットにより前記コンピュータと前記プログラマブルＬＳＩとの接続を前記内部論理変更バスからシステムバスに切り替え、前記外部ハードウェアと前記プログラマブルＬＳＩとを接続するようにしている。
【００１５】
更に、本発明の第３のプログラマブルＬＳＩ内部論理データの変更システムの前記ハードウェアは、前記コンピュータより前記バス切り替え指示を受け、前記プログラマブルＬＳＩと前記コンピュータとを接続するバスを前記内部論理変更バスに切り替え、前記コンピュータからのリセットにより前記コンピュータと前記プログラマブルＬＳＩとの接続を前記内部論理変更バスからシステムバスに切り替えるモード切替器と、
前記内部論理変更バスを通して変更用の前記内部論理データを前記コンピュータから受けて格納しこの内部論理データに従って内部論理を規定し、この格納した前記内部論理データを前記コンピュータに送る前記プログラマブルＬＳＩと、
を備えて構成されている。
【００１６】
また、本発明の第３のプログラマブルＬＳＩ内部論理データの変更システムの前記ハードウェアは、前記コンピュータより前記バス切り替え指示を受け、前記プログラマブルＬＳＩと前記コンピュータとを接続するバスを前記内部論理変更バスに切り替え、前記プログラマブルＬＳＩと自ハードウェアの外部にある外部ハードウェアとの接続を切断するための外部インターフェース切断信号を出力し、前記コンピュータからのリセットにより前記コンピュータと前記プログラマブルＬＳＩとの接続を前記内部論理変更バスからシステムバスに切り替え、前記外部ハードウェアと前記プログラマブルＬＳＩとを接続するために前記外部インターフェース切断信号の出力を停止するモード切替器と、
前記内部論理変更バスを通して変更用の前記内部論理データを前記コンピュータから受けて格納しこの内部論理データに従って内部論理を規定し、この格納した前記内部論理データを前記コンピュータに送る前記プログラマブルＬＳＩと、
外部インターフェース切断信号を受けているときには前記プログラマブルＬＳＩと前記外部ハードウェアとの接続を切断し、外部インターフェース切断信号を受けていないときには前記プログラマブルＬＳＩと前記外部ハードウェアとを接続する外部インターフェース遮断器と、
を備えて構成されている。
【００１７】
また、本発明の第１から第３のプログラマブルＬＳＩ内部論理データの変更システムの前記コンピュータは、前記内部論理データを前記サーバに要求するときに、希望する前記プログラマブルＬＳＩの機能及びこの機能に対応する前記内部論理データのバージョンを含むユーザ情報を前記サーバに登録して要求するようにしている。
【００１８】
更に、本発明の第１から第３のプログラマブルＬＳＩ内部論理データの変更システムは、前記コンピュータがこのサーバに登録した前記ユーザ情報に対応する前記内部論理データに関するバージョンアップ情報を含む情報を前記コンピュータに送る前記サーバと、
前記バージョンアップ情報を含む前記情報を受け表示する前記コンピュータと、
を備えて構成されている。
【００１９】
本発明のプログラマブルＬＳＩ内部論理データの変更方法は、コンピュータに接続されたハードウエア内に予め実装したプログラマブルＬＳＩの内部論理データを、前記コンピュータが、このコンピュータにネットワークを介して接続されたサーバより受けた変更用の前記内部論理データに変更するプログラマブルＬＳＩ内部論理データの変更方法であって、
前記コンピュータにより、前記プログラマブルＬＳＩの変更用の前記内部論理データを、前記サーバに要求し、このサーバより変更用の前記内部論理データを受けて格納する第１のステップと、
前記コンピュータにより、このコンピュータと前記ハードウェア内の前記プログラマブルＬＳＩとを接続するバスを前記内部論理データを変更するための内部論理変更バスに切り替えるバス切り替え指示を前記ハードウェアに出力する第２のステップと、
前記ハードウェアにより、前記バス切り替え指示を受け、このハードウェア内の前記プログラマブルＬＳＩと前記コンピュータとを接続するバスを内部論理変更バスに切り替える第３のステップと、
前記コンピュータにより、前記格納してある変更用の前記内部論理データを前記ハードウェアに送る第４のステップと、
前記ハードウェアの前記プログラマブルＬＳＩにより、前記コンピュータより前記内部論理変更バスを通して変更用の前記内部論理データを受けて格納しこの内部論理データに従って前記プログラマブルＬＳＩの内部論理を規定する第５のステップと、
前記コンピュータにより、前記プログラマブルＬＳＩの前記内部論理データの変更が正常に行われたか否かの診断を前記サーバに要求する第６のステップと、
前記サーバにより、前記診断の要求を受け、前記ハードウェア内の前記プログラマブルＬＳＩより前記コンピュータを介してこのプログラマブルＬＳＩが格納している前記内部論理データを受ける第７のステップと、
前記サーバにより、前記第７のステップで受けた前記内部論理データと前記第１のステップで前記コンピュータに要求された変更用の前記内部論理データとを比較し比較した結果を診断結果として前記コンピュータに通知する第８のステップと、
前記コンピュータにより、前記診断結果を受け、この診断結果が二つの前記内部論理データが一致したことを示すときには、第１０のステップへ進む第９のステップと、
前記コンピュータにより、前記ハードウェアをリセットする第１０のステップと、
前記ハードウェアにより、前記コンピュータと前記プログラマブルＬＳＩとの接続を前記内部論理変更バスからシステムバスに切り替える第１１のステップと、
を含んでいる。
【００２０】
また、本発明のプログラマブルＬＳＩ内部論理データの変更方法の前記第９のステップは、前記コンピュータにより、前記診断結果を受けこの診断結果が二つの前記内部論理データが一致しないことを示すときには、前記内部論理データの変更が正常に行われていないとして、前記プログラマブルＬＳＩの変更用の内部論理データを、前記サーバに要求し、このサーバより変更用の前記内部論理データを受けて格納して前記第４のステップへ戻るようにしている。
【００２１】
更に、本発明のプログラマブルＬＳＩ内部論理データの変更方法は、前記ハードウェアにより、前記バス切り替え指示を受け、内部論理変更バスに切り替え、このハードウェア内のプログラマブルＬＳＩとこのハードウェアの外部にある外部ハードウェアとの接続を切断する前記第３のステップと、
前記ハードウェアにより、前記内部論理変更バスから前記システムバスに切り替え、前記外部ハードウェアと前記プログラマブルＬＳＩとを接続する前記第１１のステップと、
を含んでいる。
【００２２】
また、本発明のプログラマブルＬＳＩ内部論理データの変更方法の前記第７のステップは、
前記サーバにより、前記診断の要求を受け、前記コンピュータに診断対象の内部論理データを要求するステップと、
前記コンピュータにより、診断対象の内部論理データの要求を受け前記ハードウェアに前記プログラマブルＬＳＩの格納している内部論理データを要求するステップと、
前記ハードウェアの前記プログラマブルＬＳＩにより、このプログラマブルＬＳＩの格納している前記内部論理データの要求を受け、格納している前記内部論理データを前記コンピュータに送るステップと、
前記コンピュータにより、前記プログラマブルＬＳＩが格納している前記内部論理データを受け前記サーバに送るステップと、
前記サーバにより、前記プログラマブルＬＳＩが格納している前記内部論理データを受けるステップと、
を含んでいる。
【００２３】
更に、本発明のプログラマブルＬＳＩ内部論理データの変更方法の前記第１のステップでは、前記コンピュータにより、前記プログラマブルＬＳＩの変更用の内部論理データを、前記サーバに要求するときに、希望する前記プログラマブルＬＳＩの機能及びこの機能に対応する内部論理データのバージョンを含むユーザ情報を前記サーバに登録して要求するようにしている。
【００２４】
また、本発明のプログラマブルＬＳＩ内部論理データの変更方法は、前記第１１のステップの後に、前記ハードウェアを運用し、不具合が発生したときに、前記第１１のステップに続けて、前記コンピュータにより、このコンピュータと前記ハードウェア内の前記プログラマブルＬＳＩとを接続するバスを内部論理データを変更するための内部論理変更バスに切り替えるバス切り替え指示を前記ハードウェアに出力するステップと、
前記ハードウェアにより、前記バス切り替え指示を受け、このハードウェア内の前記プログラマブルＬＳＩと前記コンピュータとを接続するバスを内部論理変更バスに切り替え、このハードウェア内のプログラマブルＬＳＩとこのハードウェアの外部にある外部ハードウェアとの接続を切断するステップと、
前記コンピュータにより、前記プログラマブルＬＳＩの前記内部論理データが正常か否かの診断を前記サーバに要求するステップと、
前記サーバにより、前記診断の要求を受け、前記ハードウェア内の前記プログラマブルＬＳＩより前記コンピュータを介してこのプログラマブルＬＳＩが格納している前記内部論理データを受けこの受けた前記内部論理データとこのサーバに登録された前記ユーザ情報に対応する前記内部論理データとを比較し比較した結果を診断結果として前記コンピュータに通知するステップと、
を更に含んでいる。
【００２５】
更に、本発明のプログラマブルＬＳＩ内部論理データの変更方法は、前記サーバにより、前記第１のステップで前記コンピュータがこのサーバに登録した前記ユーザ情報に対応する前記内部論理データに関するバージョンアップ情報を含む情報を前記コンピュータに送るステップと、
前記コンピュータにより、前記バージョンアップ情報を含む前記情報を受け表示するステップと、
を更に含んでいる。
【００２６】
【発明の実施の形態】
次に、本発明の実施の形態について図面を参照して説明する。
【００２７】
図１は、本発明のプログラマブルＬＳＩ内部論理データの変更システムの一つの実施の形態を示すブロック図である。
【００２８】
図１に示す本実施の形態は、内部論理データを受けて格納しこの内部論理データに従って内部論理を規定するプログラマブルＬＳＩ４を予め実装するハードウェア１と、操作者の指示に従い、内部論理データを要求し、この内部論理データを受けてハードウェア１に送るコンピュータ２と、内部論理データを予め有し、コンピュータ２より内部論理データを要求され、この内部論理データをコンピュータ２に送るサーバ３とにより構成する。
【００２９】
内部論理データに従って内部論理を規定するとは、例えば、プログラマブルＬＳＩ４内の複数の論理素子の接続を内部論理データに従って変えることである。
【００３０】
コンピュータ２は、操作者の指示に従い、内部論理データが正常か否かの診断をサーバ３に要求し、このサーバ３より診断結果を受けて表示する。
【００３１】
サーバ３は、コンピュータ２より診断の要求を受け、ハードウェア１内のプログラマブルＬＳＩ４よりコンピュータ２を介してこのプログラマブルＬＳＩ４が格納している内部論理データを受けこの受けた内部論理データが正常か否かの診断を行い診断結果をコンピュータ２に通知する。
【００３２】
サーバ３は、コンピュータ２とインターネット等のネットワークを介して接続し、ハードウェア１は、コンピュータ２とシステムバスにて接続している。
【００３３】
コンピュータ２からプログラマブルＬＳＩ４へのアクセス方法は、２種類存在する。
【００３４】
コンピュータ２からのシステムバスは、ハードウェア１内のモード切替器５に接続する。
【００３５】
モード切替器５は、コンピュータ２とプログラマブルＬＳＩ４との間を接続する、通常動作時のシステムバスとプログラマブルＬＳＩ４の内部論理データ変更用の内部論理変更バス７とを切り替える。
【００３６】
２種類の経路の切り替えは、コンピュータ２からモード切替器５を制御することにより行い、システムバスでのアクセス、または内部論理変更バス７でのアクセスを決定する。
【００３７】
また、モード切替器５からは、外部とのインターフェースを有効にするか無効にするかを決定する外部インターフェース切断信号８が出力され、外部インターフェース遮断機がこの外部インターフェース切断信号８を受けて、プログラマブルＬＳＩ４と外部ハードウェア（例えば、ネットワーク）との間の接続と切断動作を行う。
【００３８】
コンピュータ２のユーザ（操作者）は、プログラマブルＬＳＩ４内部論理データ変更時、機能の向上（バージョンアップ）したプログラマブルＬＳＩ４の内部論理データを、ネットワークを介してサーバ３より購入して取得し、コンピュータ２に格納しておく。
【００３９】
また、内部論理データ購入時に、サーバ３に対してユーザ登録を行わなければ、購入できないようにしても良い。
【００４０】
次に、本実施の形態のプログラマブルＬＳＩ内部論理データの変更システムの動作を図２、図３及び図４を参照して詳細に説明する。
【００４１】
図２は、図１で示す本発明の実施の形態にハードウェアの構成を付加したブロック図である。
【００４２】
図３は、本発明の実施の形態の動作の一例を示し、本発明のプログラマブルＬＳＩ内部論理データの変更方法の一例を示すフローチャートである。
【００４３】
図４は、図３で示した動作の一例の続きを示し、図３で示した本発明のプログラマブルＬＳＩ内部論理データの変更方法の一例の続きを示すフローチャートである。
【００４４】
図２において、ステップ１では、コンピュータ２により、操作者の指示に従い、プログラマブルＬＳＩ４の変更用の内部論理データを、このコンピュータ２とネットワークを介して接続しているサーバ３に要求し、このサーバ３より変更用の内部論理データを受けて格納する。この変更用の内部論理データを、サーバ３に要求するときに、希望するプログラマブルＬＳＩ４の機能及びこの機能に対応する内部論理データのバージョンを含むユーザ情報をサーバ３に登録して要求する。
【００４５】
ステップ２では、コンピュータ２により、操作者の指示に従い、このコンピュータ２とハードウェア１内のプログラマブルＬＳＩ４とを接続するバスを内部論理データを変更するための内部論理変更バス７に切り替えるバス切り替え指示をハードウェア１に出力する。
【００４６】
ステップ３では、ハードウェア１内のモード切替器５により、バス切り替え指示を受け、プログラマブルＬＳＩ４とコンピュータ２とを接続するバスを内部論理変更バス７に切り替え、プログラマブルＬＳＩ４とこのハードウェア１の外部にある外部ハードウェアとの接続を切断するための外部インターフェース切断信号８を出力する。
【００４７】
ステップ４では、外部インターフェース遮断器６により、モード切替器５より外部インターフェース切断信号８を受け、プログラマブルＬＳＩ４とこのハードウェア１の外部にある外部ハードウェアとの接続を切断する。
【００４８】
ステップ５では、コンピュータ２により、格納してある変更用の内部論理データをハードウェア１に送る。
【００４９】
ステップ６では、ハードウェア１内のプログラマブルＬＳＩ４により、コンピュータ２より内部論理変更バス７を通して変更用の内部論理データを受けて格納しこの内部論理データに従ってプログラマブルＬＳＩ４の内部論理を規定する。
【００５０】
ステップ７では、コンピュータ２により、操作者の指示に従い、プログラマブルＬＳＩ４の内部論理データの変更が正常に行われたか否かの診断をサーバ３に要求する。
【００５１】
ステップ８では、サーバ３により、コンピュータ２より診断の要求を受け、コンピュータ２に診断対象の内部論理データを要求する。
【００５２】
ステップ９では、コンピュータ２により、診断対象の内部論理データの要求を受けハードウェア１にプログラマブルＬＳＩ４の格納している内部論理データを要求する。
【００５３】
ステップ１０では、ハードウェア１内のプログラマブルＬＳＩ４により、このプログラマブルＬＳＩ４の格納している内部論理データの要求を受け、格納している内部論理データをコンピュータ２に送る。
【００５４】
ステップ１１では、コンピュータ２により、プログラマブルＬＳＩ４が格納している内部論理データを受けサーバ３に送る。
【００５５】
ステップ１２では、サーバ３により、コンピュータ２よりプログラマブルＬＳＩ４が格納している内部論理データを受けこの受けた内部論理データとステップ１でコンピュータ２から要求された変更用の内部論理データとを比較し比較した結果を診断結果としてコンピュータ２に通知する。
【００５６】
ステップ１３では、コンピュータ２により、サーバ３より診断結果を受け、この診断結果がステップ１２で示した二つの内部論理データが一致したことを示すときには、内部論理データの変更が正常に行われたとしてステップ１４へ進む。
【００５７】
一方、診断結果がステップ１２で示した二つの内部論理データが一致しないことを示すときには、コンピュータ２は、内部論理データの変更が正常に行われていないとして、操作者の指示に従い、プログラマブルＬＳＩ４の変更用の内部論理データを、サーバ３に要求し、このサーバ３より変更用の内部論理データを受けて格納してステップ５へ戻る。
【００５８】
ステップ１４では、コンピュータ２により、操作者の指示に従い、このコンピュータ２とハードウェア１とをリセットする。
【００５９】
ステップ１５では、コンピュータ２からのリセットにより、ハードウェア１内のモード切替器５は、コンピュータ２とプログラマブルＬＳＩ４との接続を内部論理変更バス７からシステムバスに切り替え、外部ハードウェアとプログラマブルＬＳＩ４とを接続するために外部インターフェース切断信号８の出力を停止する。
【００６０】
ステップ１６では、外部インターフェース遮断器６は、外部インターフェース切断信号８の出力が停止されたので、プログラマブルＬＳＩ４とこのハードウェア１の外部にある外部ハードウェアとを接続する。
【００６１】
以上のステップにより、変更用の内部論理データで内部論理を規定された新たなバージョンのプログラマブルＬＳＩ４を実装したハードウェア１を使用できるようになる。
【００６２】
このハードウェア１の運用中に、サーバ３が、ステップ１でコンピュータ２がこのサーバ３に登録したユーザ情報に対応する内部論理データに関するバージョンアップ情報を含む情報（例えば、最新バージョンの内部論理データの紹介を含む）をコンピュータ２に送り、コンピュータ２は、バージョンアップ情報を含む情報を受け表示する。
【００６３】
そして、このハードウェア１の運用中に、このハードウェア１の機能の異常等の不具合が発生したときに、以下のステップに進む。
【００６４】
ステップ１７として、コンピュータ２により、操作者の指示に従い、このコンピュータ２とハードウェア１内のプログラマブルＬＳＩ４とを接続するバスを内部論理データを変更するための内部論理変更バス７に切り替えるバス切り替え指示をハードウェア１に出力する。このステップは、ステップ２（Ｓ２）と同じである。
【００６５】
ステップ１８では、ハードウェア１内のモード切替器５により、バス切り替え指示を受け、プログラマブルＬＳＩ４とコンピュータ２とを接続するバスを内部論理変更バス７に切り替え、プログラマブルＬＳＩ４とこのハードウェア１の外部にある外部ハードウェアとの接続を切断するための外部インターフェース切断信号８を出力する。このステップは、ステップ３（Ｓ３）と同じである。
【００６６】
ステップ１９では、外部インターフェース遮断器６により、モード切替器５より外部インターフェース切断信号８を受け、プログラマブルＬＳＩ４とこのハードウェア１の外部にある外部ハードウェアとの接続を切断する。このステップは、ステップ４（Ｓ４）と同じである。
【００６７】
ステップ２０では、コンピュータ２により、操作者の指示に従い、プログラマブルＬＳＩ４の内部論理データが正常か否かの診断をサーバ３に要求する。このステップは、ステップ７（Ｓ７）と同じである。
【００６８】
ステップ２１では、サーバ３により、コンピュータ２より診断の要求を受け、コンピュータ２に診断対象の内部論理データを要求する。このステップは、ステップ８（Ｓ８）と同じである。
【００６９】
ステップ２２では、コンピュータ２により、診断対象の内部論理データの要求を受けハードウェア１にプログラマブルＬＳＩ４の格納している内部論理データを要求する。このステップは、ステップ９（Ｓ９）と同じである。
【００７０】
ステップ２３では、ハードウェア１内のプログラマブルＬＳＩ４により、このプログラマブルＬＳＩ４の格納している内部論理データの要求を受け、格納している内部論理データをコンピュータ２に送る。このステップは、ステップ１０（Ｓ１０）と同じである。
【００７１】
ステップ２４では、コンピュータ２により、プログラマブルＬＳＩ４が格納している内部論理データを受けサーバ３に送る。このステップは、ステップ１１（Ｓ１１）と同じである。
【００７２】
ステップ２５では、サーバ３により、コンピュータ２よりプログラマブルＬＳＩ４が格納している内部論理データを受けこの受けた内部論理データとこのサーバ３に登録されているユーザ情報に対応する内部論理データとを比較し比較した結果を診断結果としてコンピュータ２に通知する。
【００７３】
ステップ２６では、コンピュータ２は、サーバ３より診断結果を受けて表示し、操作者の指示に従い、再び内部論理データを変更する等を行う。
【００７４】
以上の説明では、図２に示すように、ハードウェア１と外部との接続を、例えばネットワークとしたが、図５に示すように、ハードウェア９からの出力信号を映像信号とし、ハードウェア９と外部との接続を、例えば、映像信号を処理する外部ハードウェアとしても良い。この場合、ハードウェア９はグラフィック機能を有したプログラマブルＬＳＩ１１を実装したグラフィック関係の機能を有したものである。
【００７５】
このグラフィック関係の機能を有したハードウェアに関して、従来は、映像出力のグラフィック能力（例えば、解像度）を、現状のハードウェアが有している以上に上げたい場合、機能の向上（バージョンアップ）したＬＳＩ（プログラマブルＬＳＩではない）を実装したハードウェアに交換しなければならなかった。
【００７６】
しかし、上述したように、このグラフィック機能を有したプログラマブルＬＳＩ１１を実装したハードウェア９に対して、このプログラマブルＬＳＩ１１の内部論理データを変更することにより、このグラフィック関係の機能を有したハードウェア９のグラフィック能力（例えば、解像度）を上げることができる。
【００７７】
グラフィック機能を有したプログラマブルＬＳＩ１１を実装したハードウェア９の場合は、例えば、図５に示すように、図２では備えられている外部インターフェース遮断機を省略しても良い。このときには、外部インターフェース遮断機を制御する外部インターフェース切断信号８も不要となり、モード切替器１０はこの外部インターフェース切断信号８の出力等を行わない。他の機能は図２に示すものと同様である。
【００７８】
【発明の効果】
以上説明したように、本発明によれば、ハードウェアにより、内部論理データを受けて格納しこの内部論理データに従って内部論理を規定するプログラマブルＬＳＩを予め実装し、コンピュータにより、内部論理データを要求し、この内部論理データを受けてハードウェアに送り、サーバにより、内部論理データを予め有し、コンピュータより内部論理データを要求され、この内部論理データをコンピュータに送るため、ハードウェアの機能を向上（バージョンアップ）するときに、ハードウェアを変更する必要がない。
【００７９】
また、ハードウェアの機能を向上させたいときや、ハードウェアに不具合が発生したときに、コンピュータにより、プログラマブルＬＳＩの内部論理データが正常か否かの診断をサーバに要求し、サーバにより、ハードウェア内のプログラマブルＬＳＩよりコンピュータを介してこのプログラマブルＬＳＩが格納している内部論理データを受けこの受けた内部論理データとこのサーバに登録されたユーザ情報に対応する内部論理データとを比較し比較した結果を診断結果としてコンピュータに通知するため、プログラマブルＬＳＩの内部論理データ変更するときにプログラマブルＬＳＩの内部論理データが正常か否かを診断するサポートが受けられる。
【００８０】
更に、サーバにより、サーバに登録されたユーザ情報に対応する内部論理データに関するバージョンアップ情報を含む情報をコンピュータに送るため、最新バージョンの内部論理データの紹介などのサービスの提供を受けられる。
【図面の簡単な説明】
【図１】本発明のプログラマブルＬＳＩ内部論理データの変更システムの一つの実施の形態を示すブロック図である。
【図２】図１で示す本発明の実施の形態にハードウェアの構成を付加したブロック図である。
【図３】本発明の実施の形態の動作の一例を示し、本発明のプログラマブルＬＳＩ内部論理データの変更方法の一例を示すフローチャートである。
【図４】図３で示した動作の一例の続きを示し、図３で示した本発明のプログラマブルＬＳＩ内部論理データの変更方法の一例の続きを示すフローチャートである。
【図５】グラフィック機能を有したプログラマブルＬＳＩを実装したハードウェアの場合のブロック図である。
【図６】従来のコンピュータ・ハードウェア・システムのブロック図である。
【符号の説明】
１　　ハードウェア
２　　コンピュータ
３　　サーバ
４　　プログラマブルＬＳＩ
５　　モード切替器
６　　外部インターフェース遮断器
７　　内部論理変更バス
８　　外部インターフェース切断信号
９　　ハードウェア
１０　　モード切替器
１１　　プログラマブルＬＳＩ
１２　　ハードウェア
１３　　コンピュータ
１４　　ＬＳＩ
【図１】
2004086613.tif 000003
【図２】
2004086613.tif 000004
【図３】
2004086613.tif 000005
【図４】
2004086613.tif 000006
【図５】
2004086613.tif 000007
【図６】
2004086613.tif 000008